(57)【要約】【課題】蓋によって閉鎖可能な、大きい流入・流出開口を有する捕集尿容器、特にボトルと、このボトルのための付属手段とを改良して、取扱いを簡易化し、試薬の使用時に当該者が危険にさらされることを十分に阻止できるようにする。【解決手段】排出される尿の予想最大量のために寸法設定され、任意に変形可能に形成された収容カップ６が、開口２内に懸吊されており、かつ蓋３によって位置固定されて保持されているようにし、安定剤容器１０及び／又は小容量の試料容器９を収容するための搬送容器として使用するために閉鎖可能に形成されているようにした。【選択図】図１
2004170423.tif 000002
【特許請求の範囲】
【請求項１】
蓋によって閉鎖可能な大きい流入・流出開口を有する捕集尿容器、特にボトルにおいて、排出される尿の予想最大量のために寸法設定され、任意に変形可能に形成された収容カップ（６）が、開口（２）内に懸吊されており、かつ蓋（３）によって位置固定されて保持されていることを特徴とする、捕集尿容器。
【請求項２】
蓋によって閉鎖可能な大きい流入・流出開口を有する捕集尿容器、特にボトルのための付属手段において、排出される尿の予想最大量のために寸法設定され、任意に変形可能に形成された収容カップ（６）が、安定剤容器（１０）及び／又は小容量の試料容器（９）を収容するための搬送容器として使用するために閉鎖可能に形成されていることを特徴とする、前記捕集尿容器のための付属手段。
【発明の詳細な説明】
【技術分野】
【０００１】
本発明は、患者が自由に扱えるような、蓋によって閉鎖可能な大きな流入・流出開口を有する捕集尿容器、特にボトルにおいて、所定の長い時間にわたってボトルに排出された尿が、種々異なる診断目的のために行われる後の分析のために捕集される形式のものに関する。さらに本発明は、この形の捕集尿容器のための付属手段に関する。
【背景技術】
【０００２】
尿を捕集するためには、「２４時間捕集尿」を収容することのできる２〜３リットルの容量を有する単純なプラスチック容器が汎用されている。これにより、２４時間にわたって捕集された尿による混融試料から臨床分析を実施することが可能となる。これによって可能な長時間−捕集は、尿組成の日中時間による変動に基づく誤診の危険性を低減する。このことは、２４時間−捕集尿中のカテコールアミン及びカテコールアミンの誘導体の濃度の測定時には特に重要である。尿中のカテコールアミン及びカテコールアミンの分解産物の測定は、すなわち、副腎皮質のような交感神経−副腎系の腫瘍の診断及び経過判断のために重要である。腫瘍が存在する場合、カテコールアミン及びカテコールアミンの誘導体の高められた濃度が尿中に見られるが、この濃度は、もちろん結合及び遊離時に日中時間による変動に影響されてしまう。
【０００３】
カテコールアミンの測定時には、さらに、カテコールアミンが、例えば室温、光の影響、空気中酸素の流入などの通常の保管条件下での化学組成に基づいて安定的ではないという事情が加わる。カテコールアミンは徐々に別の分解産物に崩壊してしまう。これらの条件下で捕集された尿の分析は、誤った若しくは低いカテコールアミン値につながる恐れがある。このような理由から、ボトル又は缶のような汎用の捕集尿−容器は耐光性であり、カテコールアミンを安定化させる試薬が添加されている。しかし、このような安定剤は、例えば腎石試験を実施するための捕集尿では、捕集尿全てが酸性化されるわけではないので必要ない。
【０００４】
患者が、必要とされる大量の捕集尿を、大きな充填開口が設けられた相応に大容量の捕集容器に排出した後、この捕集容器は診察を行う医師によって分析試験室に送られ、そこでこの大きな捕集容器から、分析のために必要とされるわずかな部分量が取り出される。２〜３リットルの容量を有する汎用のボトルの使用時には、大きな流入開口は、同時に、必要とされる捕集尿−部分量を注ぎ出す若しくは取り出すためにも役立つ。多大な注意を払ってさえも、小さい部分量を小さい試料容器に注ぎ込む場合にこぼれることは防止できない。いずれにせよ、まず大容量の捕集容器を取扱い、そして手間をかけて搬送することは患者にとっても医者にとっても不可避である。
【０００５】
このような捕集容器にさらに安定化させる試薬を充填しなければならない場合には、当該者は酸性化のために一般的に汎用の酸、例えば塩酸、硫酸又は氷酢酸によって著しい危険にさらされる。なぜならば、手元にある例えば３リットルという大きい尿量中の酸性度を強い緩衝作用によって確実に保持するためにも、比較的大量の前記の酸が不可欠である。これらの酸は市販の汎用形式でしばしば濃度試験に使用される。公知の酸は全て、液状の形で、尿捕集の直前に医師によって添加されるか、又は対応する使用説明書に注意の上で患者自身によって捕集容器に添加される。使用者の取扱い及び注意次第では、腐食が阻止できないことがある。酸が既に尿捕集の始めから捕集容器内に存在している場合には、患者にとって排尿時のはねに基づいて相応の危険性が生じてしまう。
【０００６】
一般的な汎用時には、患者は、場合によっては酸を添加された扱いにくい尿捕集容器に尿を排出する。このような尿捕集容器は充填量の増加に伴い次第に重く、ひいては次第に扱いにくくなる。このような形で実施される尿捕集は、患者、特に女性の患者にとって困難である。
【発明の開示】
【発明が解決しようとする課題】
【０００７】
そこで本発明の課題は、冒頭に述べた形式の捕集尿容器と、この形の捕集尿容器のための付属手段とを改良して、上に述べた欠点を防止し、特に取扱いを簡易化し、試薬の使用時に当該者が危険にさらされることを十分に阻止できるようにすることである。
【課題を解決するための手段】
【０００８】
捕集尿容器のためには、この課題を解決した本発明の手段によれば、排出される尿の予想最大量のために寸法設定された、任意に変形可能に形成された収容カップが、捕集容器の開口に懸吊され、搬送時には蓋によって位置固定されて保持される。
【発明の効果】
【０００９】
この場合、患者は大容量の捕集尿容器に比べて遥かに小さい容器、すなわち、約４００〜５００ｍｌの容量の収容カップを一時的な利用のためにすぐに使用できるようになっている。なぜならば、使用時には患者は蓋を外すだけでよく、そしてすぐに、開口縁部を越えて半径方向に突出していないカラーによって捕集尿容器内に懸吊された収容カップを取り出し、尿をまず、この収容カップに排出することができるからである。この収容カップにより、尿の収容は女性の患者にとっても男性の患者にとっても、大きい捕集尿容器の場合よりも遥かに簡単に行われ、かつ非常に軽量であり、続いてすぐに、排出された尿量を捕集尿容器並びに後には試料容器に注ぎ込むための詰替容器として働く。排出された尿の、細心の注意なしでもこぼれることない詰替が、収容カップの弾性的に変形可能な壁によって支援される。なぜならば、この弾性的な壁に基づいて、さらに適宜な注ぎ込み可能性がもたらされるからである。
【００１０】
付属手段のためには、前記課題を解決した本発明の手段によれば、排出される尿の予想最大量のために寸法設定された任意に変形可能な収容カップが、安定剤小ボトル及び／又は小容量の試料容器を収容するための搬送容器の形で閉鎖可能に形成されている。これにより、大容量の捕集尿容器のための後装着若しくは追加装着キットが得られる。このことは、例えばボトルが洗浄され再び使用される病院内のように、捕集尿容器が一回の使用後に廃棄されない場合に利用できる。あるいはまた、捕集尿を酸性化したい場合にも利用できる。なぜならば、酸性化のために必要とされる少量の酸は、収容カップ内に添付されている安定剤ボトル若しくは酸の小ボトルによって既に準備されているからである。例えばフォイル又は被せ嵌められた蓋によって閉鎖された収容カップは、さらに使用説明書又はこれに類するものを収容できる。
【００１１】
さらに、不可欠な所定時間にわたる尿の捕集後には、数十年来汎用されてきたのとは異なる取扱いが可能である。なぜならば、充填された大容量の捕集容器を患者から医師へ、そして医師から分析試験室へ搬送する必要がなくなり、小容量の試料容器、有利には遠心分離のために適宜な管片のみが用いられ、この管片内には捕集容器から、変形可能な壁によって形成された収容カップを用いて、分析のために必要とされるわずかな部分量だけがまず詰め替えられるからである。分析試験室への発送は、少容量の試料容器の搬送に限定される。
【００１２】
捕集尿容器のための付属手段として設けられた収容容器は、したがって、捕集尿採取時に必要とされる手段、例えば安定剤、試料容器、使用説明書のための搬送・貯蔵容器であるだけでなく、患者の排尿時の著しい負担軽減はもちろんのこと、万能の詰替容器として利用することができる。このことは、一方では大容量の捕集尿容器を充填するために、他方ではこの大容量の捕集尿容器から取り出された部分量を小さい試料容器へ詰め替えるために役立つ。
【００１３】
本発明の詳細及び特徴が請求項及び図面につき説明した本発明の実施例に記載されている。
【発明を実施するための最良の形態】
【００１４】
図１は、捕集尿を収容するための、この場合、ボトル１の形で構成された大容量の捕集尿容器の部分断面図を示している。このボトル１は、大きい流入・流出開口２を有しており、この流入・流出開口２は、本実施例ではねじって被せ嵌められた蓋３によって密に閉じられている。ボトル１内に懸吊され、周カラー４によって開口縁部５で支持された収容カップ６が、蓋３によって位置固定されてボトル１内に保持される。２０００〜３０００ｍｌのボトル１の容量に対して、収容カップ６は約４００〜５００ｍｌの容量しか有していない。
【００１５】
患者がボトル１と共にすぐに自由に使用できる収容カップ６により、患者は尿を、これまで通例であったような扱いにくい大きな捕集尿容器、すなわちボトル１又は缶に排出し、この捕集尿容器が充填量の増加に伴い次第に重くなり、ひいてはさらに扱いにくくなるようなことはなく、まず、収容カップ６に尿を排出することが可能になる。この収容カップ６から、続いて尿はボトル１に注がれる。詰替容器として働く収容カップ６によるボトル１の間接的な充填により、さらに排尿時のはねに基づく敏感な身体器官の腐食の危険性が除外される。
【００１６】
図２及び図３には、異なって配置されているが、それ以外の点では合致している、捕集尿容器、特に前記ボトル１のための付属手段が示されている。いずれの場合にも、前記収容カップ６が、図示の付属セット若しくは付属キットの基本要素である。この場合、収容カップ６は搬送容器としても働くので、開口はフォイル又は被せ嵌められた蓋７によって閉じられている。収容カップ６内には、本実施例では、蓋８によって閉鎖可能な試料容器９と、安定剤、特に図示のような酸１１を有する密に閉じられた小ボトル１０とが貯蔵されている。小ボトル１０は、図２によれば、試料容器９内に貯蔵されており、図３によれば、収容カップ６内の試料容器９の外側に位置する形で貯蔵されている。
【００１７】
尿を安定化したい場合には、安定剤若しくは酸１１を、ボトル１の初回の充填後に、すなわち、尿がまず患者によって小容量の、ひいては軽量な、良好な取扱い性を得るために任意に半径方向に変形可能な収容カップ６に排出され、次いでボトル１に詰め替えられた後に、添加することが適当である。これにより、強い酸の容器の不快な副作用、例えば煙霧発生及び臭気まとわりつきを防止することができる。さらに、安定剤の即時の希薄化による腐食の危険性が著しく軽減される。
【００１８】
採集尿−ボトル１（図１参照）の始めから組み込まれた構成部材である収容カップ６、又は図２及び図３による別の付属部材を付加された収容カップ６によって、いずれの場合にも、患者にとっては著しく簡易化された、安定剤の添加時にも、自在の詰替可能性を伴う安全な取扱いがもたらされる。
【図面の簡単な説明】
【００１９】
【図１】捕集尿容器に懸吊された収容カップの部分的な縦方向断面図である。
【００２０】
【図２】収容カップ及びこの収容カップ内に貯蔵された、酸の小ボトルが封入された試料容器の縦方向断面図である。
【００２１】
【図３】付属手段の別の貯蔵法を示す図２に対応する縦方向横断面図である。
【符号の説明】
【００２２】
１  ボトル、    ２  流入・流出開口、    ３  蓋、    ４  周カラー、    ５  開口縁部、    ６  収容カップ、    ７  蓋、    ８  蓋、    ９  試料容器、    １０  小ボトル、    １１  酸
【図１】
2004170423.tif 000003
【図２】
2004170423.tif 000004
【図３】
2004170423.tif 000005